(57)【要約】【課題】現行のハイパワー水銀リレーの規格に基づいて、環境保全の要求に符合するハイパワーリレー装置を提供する。【解決手段】リレー装置は、筐体と、トランジスタ型リレーユニットグループとを含む。筐体の規格は、ハイパワー水銀リレーのうちの１つの筐体規格に符合する。トランジスタ型リレーユニットグループは、炭化ケイ素基板により実現される。トランジスタ型リレーユニットグループは、筐体内に設置される。トランジスタ型リレーユニットグループは、リレーのスイッチ操作を備える。【選択図】図１
0003234927.tif 000002
【実用新案登録請求の範囲】
【請求項１】
規格がハイパワー水銀リレーのうちの１つの筐体規格に符合する筐体と、
制御信号を受信するよう配置された第１制御ピンおよび第２制御ピンと、
入力信号を受信するよう配置された第１データピンと、
第２データピンと、
炭化ケイ素基板により実現され、前記筐体内に設置され、前記第１制御ピン、前記第２制御ピン、前記第１データピン、および前記第２データピンに接続され、リレーのスイッチ操作を備え、前記制御信号において制御されて、前記スイッチ操作を実行するとともに、前記第２データピンを介して前記入力信号に関連する出力信号を出力するトランジスタ型リレーユニットグループと、
を含むリレー装置。
【請求項２】
前記トランジスタ型リレーユニットグループが、トランジスタ型リレーユニットを含み、
前記トランジスタ型リレーユニットの第１データ端子が、前記第１データピンに接続され、前記トランジスタ型リレーユニットの第２データ端子が、前記第２データピンに接続され、前記トランジスタ型リレーユニットの第１制御端子が、前記第１制御ピンに接続され、前記トランジスタ型リレーユニットの第２制御端子が、前記第２制御ピンに接続された請求項１に記載のリレー装置。
【請求項３】
前記トランジスタ型リレーユニットグループが、複数のトランジスタ型リレーユニットを含み、
前記複数のトランジスタ型リレーユニットを直列接続することにより、前記トランジスタ型リレーユニットグループを形成する請求項１に記載のリレー装置。
【請求項４】
前記複数のトランジスタ型リレーユニットのうちの第１ステージトランジスタ型リレーユニットの第１データ端子が、前記第１データピンに接続され、
前記複数のトランジスタ型リレーユニットのうちの第Ｎステージトランジスタ型リレーユニットの第２データ端子が、前記複数のトランジスタ型リレーユニットのうちの第Ｎ＋１ステージトランジスタ型リレーユニットの第１データ端子に接続され、Ｎが正の整数であり、
前記複数のトランジスタ型リレーユニットのうちの最後のステージのトランジスタ型リレーユニットの第２データ端子が、前記第２データピンに接続された請求項３に記載のリレー装置。
【請求項５】
前記トランジスタ型リレーユニットグループが、複数のトランジスタ型リレーユニットを含み、
前記複数のトランジスタ型リレーユニットを並列接続することにより、前記トランジスタ型リレーユニットグループを形成する請求項１に記載のリレー装置。
【請求項６】
前記複数のトランジスタ型リレーユニットの複数の第１データ端子が、共同で、前記第１データピンに接続され、
前記複数のトランジスタ型リレーユニットの複数の第２データ端子が、共同で、前記第２データピンに接続された請求項５に記載のリレー装置。
【請求項７】
前記複数のトランジスタ型リレーユニットが、それぞれ第１制御端子および第２制御端子を含み、
前記複数のトランジスタ型リレーユニットの複数の第１制御端子が、共同で、前記第１制御ピンに接続され、
前記複数のトランジスタ型リレーユニットの複数の第２制御端子が、共同で、前記第２制御ピンに接続された請求項４および６のうちのいずれか１項に記載のリレー装置。
【請求項８】
前記複数のトランジスタ型リレーユニットが、それぞれ第１制御端子および第２制御端子を含み、
前記複数のトランジスタ型リレーユニットの複数の第１制御端子および複数の第２制御端子が、前記第１制御ピンと前記第２制御ピンの間に直列接続された請求項４および６のうちのいずれか１項に記載のリレー装置。
【請求項９】
前記トランジスタ型リレーユニットグループが、複数のトランジスタ型リレーユニットを含み、
前記複数のトランジスタ型リレーユニットが、複数の直列グループにグループ化され、
前記複数の直列グループが、互いに並列接続された請求項１に記載のリレー装置。
【請求項１０】
前記トランジスタ型リレーユニットグループが、少なくとも１つのトランジスタ型リレーユニットを含み、
前記少なくとも１つのトランジスタ型リレーユニットが、それぞれフォトカプラを含む請求項１に記載のリレー装置。
【考案の詳細な説明】
【技術分野】
【０００１】
本考案は、リレー装置に関するものであり、特に、環境保全の要求に符合するハイパワーリレー装置に関するものである。
【背景技術】
【０００２】
現行のハイパワーリレーのうち、ハイパワー水銀リレーは、比較的よく見られるリレーであるが、一部の地域（欧州連合）では水銀を含む関連製品の輸入を禁止しているため、ハイパワー水銀リレーは、販売場所や使用スペースが必然的に制限される。そのため、ハイパワー水銀リレーは、代替の材料への置き換えが進められている。注意すべきこととして、ハイパワー水銀リレーは、市場において既に何年も前から存在しているため、ハイパワー装置は、リレーを収容する空間規格およびピン規格が既にハイパワー水銀リレーのピン規格と一致している。したがって、いかにして現行のハイパワー水銀リレーの規格に基づいて、環境保全の要求に符合するハイパワーリレー装置を提供するかが、本分野の技術者が研究すべき課題の１つとなっている。
【考案の概要】
【考案が解決しようとする課題】
【０００３】
本考案は、現行のハイパワー水銀リレーの規格に基づいて、環境保全の要求に符合するハイパワーリレー装置を提供する。
【課題を解決するための手段】
【０００４】
本考案のリレー装置は、筐体と、第１制御ピンおよび第２制御ピンと、第１データピンと、第２データピンと、トランジスタ型リレーユニットグループとを含む。筐体の規格は、ハイパワー水銀リレーのうちの１つの筐体規格に符合する。第１制御ピンおよび第２制御ピンは、制御信号を受信する。第１データピンは、入力信号を受信する。トランジスタ型リレーユニットグループは、炭化ケイ素基板により実現される。トランジスタ型リレーユニットグループは、筐体内に設置される。トランジスタ型リレーユニットグループは、第１制御ピン、第２制御ピン、第１データピン、および第２データピンに接続される。トランジスタ型リレーユニットグループは、リレーのスイッチ操作を備える。トランジスタ型リレーユニットグループは、制御信号において制御されて、スイッチ操作を実行するとともに、第２データピンを介して入力信号に関連する出力信号を出力する。
【０００５】
本考案の１つの実施形態において、トランジスタ型リレーユニットグループは、トランジスタ型リレーユニットを含む。トランジスタ型リレーユニットの第１データ端子は、第１データピンに接続される。トランジスタ型リレーユニットの第２データ端子は、第２データピンに接続される。トランジスタ型リレーユニットの第１制御端子は、第１制御ピンに接続される。トランジスタ型リレーユニットの第２制御端子は、第２制御ピンに接続される。
【０００６】
本考案の１つの実施形態において、トランジスタ型リレーユニットグループは、複数のトランジスタ型リレーユニットを含む。前記複数のトランジスタ型リレーユニットを直列接続することにより、トランジスタ型リレーユニットグループを形成する。
【０００７】
本考案の１つの実施形態において、前記複数のトランジスタ型リレーユニットのうちの第１ステージトランジスタ型リレーユニットの第１データ端子は、第１データピンに接続される。前記複数のトランジスタ型リレーユニットのうちの第Ｎステージトランジスタ型リレーユニットの第２データ端子は、前記複数のトランジスタ型リレーユニットのうちの第Ｎ＋１ステージトランジスタ型リレーユニットの第１データ端子に接続される。Ｎは、正の整数である。前記複数のトランジスタ型リレーユニットのうちの最後のステージのトランジスタ型リレーユニットの第２データ端子は、第２データピンに接続される。
【０００８】
本考案の１つの実施形態において、トランジスタ型リレーユニットグループは、複数のトランジスタ型リレーユニットを含む。前記複数のトランジスタ型リレーユニットを並列接続することにより、トランジスタ型リレーユニットグループを形成する。
【０００９】
本考案の１つの実施形態において、前記複数のトランジスタ型リレーユニットの複数の第１データ端子は、共同で、第１データピンに接続される。前記複数のトランジスタ型リレーユニットの複数の第２データ端子は、共同で、第２データピンに接続される。
【００１０】
本考案の１つの実施形態において、前記複数のトランジスタ型リレーユニットは、それぞれ第１制御端子および第２制御端子を含む。前記複数のトランジスタ型リレーユニットの複数の第１制御端子は、共同で、第１制御ピンに接続される。前記複数のトランジスタ型リレーユニットの複数の第２制御端子は、共同で、第２制御ピンに接続される。
【００１１】
本考案の１つの実施形態において、前記複数のトランジスタ型リレーユニットは、それぞれ第１制御端子および第２制御端子を含む。前記複数のトランジスタ型リレーユニットの複数の第１制御端子および複数の第２制御端子は、第１制御ピンと第２制御ピンの間に直列接続される。
【００１２】
本考案の１つの実施形態において、前記トランジスタ型リレーユニットグループは、複数のトランジスタ型リレーユニットを含む。前記複数のトランジスタ型リレーユニットは、複数の直列グループにグループ化される。前記複数の直列グループは、互いに並列接続される。
【００１３】
本考案の１つの実施形態において、トランジスタ型リレーユニットグループは、少なくとも１つのトランジスタ型リレーユニットを含む。前記少なくとも１つのトランジスタ型リレーユニットは、それぞれフォトカプラを含む。
【考案の効果】
【００１４】
以上のように、本考案において、リレー装置の筐体の規格は、ハイパワー水銀リレーのうちの１つの筐体規格に符合する。また、トランジスタ型リレーユニットグループは、炭化ケイ素基板により実現される。トランジスタ型リレーユニットグループは、制御ピン、第１データピン、および第２データピンに接続される。トランジスタ型リレーユニットグループは、スイッチ操作を実行する。このようにして、本考案は、現行のハイパワー水銀リレーの規格に基づいて、環境保全の要求に符合するハイパワーリレー装置を提供することができる。
【図面の簡単な説明】
【００１５】
【図１】図１は、本考案の第１実施形態に係るリレー装置の概略図である。
【図２】図２は、本考案の第２実施形態に係るリレー装置の概略図である。
【図３】図３は、本考案の１つの実施形態に係るトランジスタ型リレーユニットの概略図である。
【図４】図４Ａ〜図４Ｄは、それぞれ本考案のその他の実施形態に係るトランジスタ型リレーユニットの概略図である。
【図５】図５は、本考案の１つの実施形態に係るトランジスタ型リレーユニットグループの第１概略図である。
【図６】図６は、本考案の１つの実施形態に係るトランジスタ型リレーユニットグループの第２概略図である。
【図７】図７は、本考案の１つの実施形態に係るトランジスタ型リレーユニットグループの第３概略図である。
【図８】図８は、本考案の１つの実施形態に係るトランジスタ型リレーユニットグループの第４概略図である。
【図９】図９は、本考案の１つの実施形態に係るトランジスタ型リレーユニットグループの第５概略図である。
【図１０】図１０は、本考案の第３実施形態に係るリレー装置の概略図である。
【考案を実施するための形態】
【００１６】
本考案の一部の実施例について、添付の図面を組み合わせながら、引き続き詳しく説明する。以下の記載が構成要素符号を引用する場合、異なる図面における同一の構成要素符号は、同じ、または類似する構成要素とみなす。これらの実施例は、本考案の一部に過ぎず、本考案の全ての実施可能な方法を開示するものではない。より正確に説明すると、これらの実施例は、本考案の特許請求の範囲における範例に過ぎない。
【００１７】
図１を参照すると、図１は、本考案の第１実施形態に係るリレー装置の概略図である。本実施形態において、リレー装置１００は、筐体１１０と、制御ピンＰ＿Ｃ１、Ｐ＿Ｃ２と、第１データピンＰ＿Ｄ１と、第２データピンＰ＿Ｄ２と、トランジスタ型リレーユニットグループ１２０とを含む。筐体１１０の規格は、ハイパワー水銀リレーのうちの１つの筐体規格に符合する。例を挙げて説明すると、筐体１１０の規格は、水銀リード（REED）リレーの任意の筐体規格のうちの１つに符合する。リレー装置１００の上記の筐体規格に基づき、制御ピンＰ＿Ｃ１、Ｐ＿Ｃ２、第１データピンＰ＿Ｄ１、第２データピンＰ＿Ｄ２の位置も制限される可能性がある。本実施形態を例に挙げると、制御ピンＰ＿Ｃ１、Ｐ＿Ｃ２および第１データピンＰ＿Ｄ１は、筐体１１０の側辺Ｅ１に位置する。第２データピンＰ＿Ｄ２は、筐体１１０の側辺Ｅ２に位置する。側辺Ｅ１、Ｅ２は、互いに向かい合う（本考案は、本実施形態に限定されない）。側辺Ｅ１、Ｅ２は、平面であっても、平面でなくてもよい。
【００１８】
本実施形態において、制御ピンＰ＿Ｃ１は、制御信号ＳＣ１を受信する。制御ピンＰ＿Ｃ２は、制御信号ＳＣ２を受信する。例を挙げて説明すると、リレー装置１００は、制御信号ＳＣ１、ＳＣ２の間の電圧差値に基づいて、スイッチ操作を行うことができる。別の例を挙げて説明すると、リレー装置１００は、制御信号ＳＣ１、ＳＣ２が生成した電流値に基づいて、スイッチ操作を行うことができる。さらに例を挙げて説明すると、制御ピンＰ＿Ｃ２は、定電圧ステージを受信する。したがって、リレー装置１００は、制御信号ＳＣ１に基づいて、スイッチ操作を行うことができる。
【００１９】
本実施形態において、第１データピンＰ＿Ｄ１は、入力信号Ｓ＿ＩＮを受信する。したがって、リレー装置１００は、第２データピンＰ＿Ｄ２を介して、出力信号Ｓ＿ＯＵＴを出力する。本実施形態において、第２データピンＰ＿Ｄ２は、入力信号Ｓ＿ＩＮを受信することができる。したがって、リレー装置１００は、第１データピンＰ＿Ｄ１を介して、出力信号Ｓ＿ＯＵＴを出力する。
【００２０】
本実施形態において、トランジスタ型リレーユニットグループ１２０は、炭化ケイ素（silicon carbide, SiC）基板により実現される。したがって、トランジスタ型リレーユニットグループ１２０は、非常に高い破壊電界強度を有する。トランジスタ型リレーユニットグループ１２０は、ハイパワーの用途に適用することができる。トランジスタ型リレーユニットグループ１２０自体は、一般的なリレーのスイッチ操作を備える。さらに説明すると、トランジスタ型リレーユニットグループ１２０は、トランジスタ切換方法を採用して、リレーのスイッチ操作を実行するため、水銀でリレーのスイッチ操作を実行する必要はない。つまり、トランジスタ型リレーユニットグループ１２０は、水銀を必要としない。トランジスタ型リレーユニットグループ１２０は、筐体１１０内に設置される。トランジスタ型リレーユニットグループ１２０は、制御ピンＰ＿Ｃ１、Ｐ＿Ｃ２、第１データピンＰ＿Ｄ１、および第２データピンＰ＿Ｄ２に接続される。例を挙げて説明すると、トランジスタ型リレーユニットグループ１２０が設置されることにより、ピンＰ１〜Ｐ４を有する。ピンＰ１は、第１データピンＰ＿Ｄ１にバッティングされる。ピンＰ２は、第２データピンＰ＿Ｄ２にバッティングされる。ピンＰ３、制御ピンＰ＿Ｃ１にバッティングされる。ピンＰ４は、制御ピンＰ＿Ｃ２にバッティングされる。
【００２１】
本実施形態において、トランジスタ型リレーユニットグループ１２０は、制御信号ＳＣ１、ＳＣ２において制御され、スイッチ操作を切り換えるとともに、入力信号Ｓ＿ＩＮに関する出力信号Ｓ＿ＯＵＴを出力する。
【００２２】
ここで言及すべきこととして、リレー装置１００の筐体１１０の規格は、ハイパワー水銀リレーのうちの１つの筐体規格に符合する。また、トランジスタ型リレーユニットグループ１２０は、炭化ケイ素基板により実現される。トランジスタ型リレーユニットグループ１２０は、スイッチ操作を実行する。このようにして、本実施形態は、現行のハイパワー水銀リレーの規格に基づいて、環境保全の要求に符合するハイパワーリレー装置１００を提供することができる。
【００２３】
いくつかの実施形態において、ハイパワーリレー装置１００は、複数のトランジスタ型リレーユニットグループ１２０および複数の第１データピンＰ＿Ｄ１および複数の第２データピンＰ＿Ｄ２を含むことができる。例を挙げて説明すると、複数のトランジスタ型リレーユニットグループ１２０のうち、第１トランジスタ型リレーユニットグループ１２０は、第１データピンＰ＿Ｄ１および第２データピンＰ＿Ｄ２に対応する。第２トランジスタ型リレーユニットグループ１２０は、別の第１データピンおよび第２データピンに対応する。
【００２４】
図２および図３を同時に参照すると、図２は、本考案の第２実施形態に係るリレー装置の概略図である。図３は、本考案の１つの実施形態に係るトランジスタ型リレーユニットの概略図である。リレー装置２００は、筐体１１０と、制御ピンＰ＿Ｃ１、Ｐ＿Ｃ２と、第１データピンＰ＿Ｄ１と、第２データピンＰ＿Ｄ２と、トランジスタ型リレーユニットグループ２２０とを含む。本実施形態において、トランジスタ型リレーユニットグループ２２０は、１つのトランジスタ型リレーユニット２２１を含む。トランジスタ型リレーユニット２２１の第１データ端子Ｔ１は、第１データピンＰ＿Ｄ１に接続される。トランジスタ型リレーユニット２２１の第２データ端子Ｔ２は、第２データピンＰ＿Ｄ２に接続される。トランジスタ型リレーユニット２２１の制御端子Ｔ３は、制御ピンＰ＿Ｃ１に接続される。トランジスタ型リレーユニット２２１の制御端子Ｔ４は、制御ピンＰ＿Ｃ２に接続される。本実施形態において、トランジスタ型リレーユニット２２１は、さらに、まだ使用されていない予備端子Ｔ５を有する。
【００２５】
本実施形態において、トランジスタ型リレーユニット２２１は、フォトカプラを含む。フォトカプラは、発光ダイオードＤおよびトランジスタＭ１、Ｍ２を含む。トランジスタＭ１、Ｍ２は、互いに直列接続される。トランジスタＭ１の第１端は、第１データ端子Ｔ１に接続される。トランジスタＭ１の第２端は、トランジスタＭ２の第１端に接続される。トランジスタＭ２の第２端は、第２データ端子Ｔ２に接続される。トランジスタＭ１、Ｍ２は、共同で、発光ダイオードＤが提供する光信号において制御され、同期オンまたは同期オフされる。本実施形態において、発光ダイオードＤは、制御信号ＳＣ１、ＳＣ２が提供する高電圧差または高電流において制御されると、光信号を発信するため、トランジスタＭ１、Ｍ２をオンにする。したがって、トランジスタ型リレーユニット２２１は、入力信号Ｓ＿ＩＮを伝送することができ、入力信号Ｓ＿ＩＮを出力信号Ｓ＿ＯＵＴとして使用する。一方、発光ダイオードＤは、制御信号ＳＣ１、ＳＣ２が提供する低電圧差または低電流において制御されると、光信号を発信しないため、トランジスタＭ１、Ｍ２をオフにする。したがって、トランジスタ型リレーユニット２２１は、入力信号Ｓ＿ＩＮの伝送を停止する。
【００２６】
続いて、トランジスタ型リレーユニットの別の態様について説明する。図４Ａ〜図４Ｄは、それぞれ本考案のその他の実施形態に係るトランジスタ型リレーユニットの概略図である。まず、図４Ａにおいて、図３に示したトランジスタ型リレーユニット２２１と比較すると、トランジスタ型リレーユニット２２１ａには、予備端子Ｔ５がない。
【００２７】
図４Ｂにおいて、図３に示したトランジスタ型リレーユニット２２１と比較すると、トランジスタ型リレーユニット２２１ｂには、予備端子Ｔ６が増えている。また、制御端子Ｔ３、Ｔ４が予備端子Ｔ５、Ｔ６の両側に設置されている。設計の要求に応じて、予備端子Ｔ５、Ｔ６は、シールド信号（例えば、接地信号）を受信して、制御端子Ｔ３、Ｔ４が受信した制御信号ＳＣ１、ＳＣ２が外界に干渉されるのを防止するために使用することができる。
【００２８】
図４Ｃにおいて、図３に示したトランジスタ型リレーユニット２２１と比較すると、トランジスタ型リレーユニット２２１ｃには、第３データ端子Ｔ７が増えている。また、第３データ端子Ｔ７は、トランジスタＭ１、Ｍ２の接続ノードに接続される。第３データ端子Ｔ７は、別のデータ入力／出力端子として使用することができる。
【００２９】
図４Ｄにおいて、トランジスタ型リレーユニット２２１ｄは、２組のフォトカプラを含む。２組のフォトカプラのうち、第１フォトカプラは、発光ダイオードＤおよびトランジスタＭ１、Ｍ２を含む。第２フォトカプラは、発光ダイオードＤ´およびトランジスタＭ１´、Ｍ２´を含む。トランジスタ型リレーユニット２２１ｄの第１フォトカプラの接続方法は、トランジスタ型リレーユニット２２１（図３）のフォトカプラの接続方法と同じである。図４Ｄにおいて、トランジスタＭ１´、Ｍ２´は、互いに直列接続される。トランジスタＭ１´の第１端は、第１データ端子Ｔ１´に接続される。トランジスタＭ１´の第２端は、トランジスタＭ２´の第１端に接続される。トランジスタＭ２´の第２端は、第２データ端子Ｔ２´に接続される。トランジスタＭ１´、Ｍ２´は、共同で、発光ダイオードＤ´が提供する光信号において制御され、同期オンまたは同期オフされる。発光ダイオードＤ、Ｄ´が受信した制御信号が同じ信号かどうかに基づいて、第２フォトカプラの操作は、第１フォトカプラの操作から独立してもよく、あるいは第１フォトカプラの操作と関連してもよい。
【００３０】
図１および図５を同時に参照すると、図５は、本考案の１つの実施形態に係るトランジスタ型リレーユニットグループの第１概略図である。トランジスタ型リレーユニットグループ３２０は、図１のトランジスタ型リレーユニットグループ１２０に適用することができる。本実施形態において、トランジスタ型リレーユニットグループ３２０は、トランジスタ型リレーユニット２２１＿１〜２２１＿ｍを含む。本実施形態は、トランジスタ型リレーユニット２２１＿１〜２２１＿ｍを直列接続することによって、トランジスタ型リレーユニットグループ３２０を形成する。
【００３１】
本実施形態を例に挙げると、トランジスタ型リレーユニット２２１＿１（すなわち、第１ステージトランジスタ型リレーユニット）の第１データ端子Ｔ１は、ピンＰ１に接続される。したがって、トランジスタ型リレーユニット２２１＿１の第１データ端子Ｔ１は、第１データピンＰ＿Ｄ１に接続される。トランジスタ型リレーユニット２２１＿１の第２データ端子Ｔ２は、トランジスタ型リレーユニット２２１＿２（すなわち、第２ステージトランジスタ型リレーユニット）の第１データ端子Ｔ１に接続される。トランジスタ型リレーユニット２２１＿２の第２データ端子Ｔ２は、トランジスタ型リレーユニット２２１＿３（すなわち、第３ステージトランジスタ型リレーユニット）の第１データ端子Ｔ１に接続され、以下、同様に接続される。トランジスタ型リレーユニット２２１＿ｍ（すなわち、最後のステージのトランジスタ型リレーユニット）の第２データ端子Ｔ２は、ピンＰ２に接続される。したがって、トランジスタ型リレーユニット２２１＿ｍの第２データ端子Ｔ２は、第２データピンＰ＿Ｄ２に接続される。トランジスタ型リレーユニット２２１＿１〜２２１＿ｍの複数の制御端子Ｔ３は、共同で、ピンＰ３に接続される。したがって、トランジスタ型リレーユニット２２１＿１〜２２１＿ｍの複数の制御端子Ｔ３は、共同で、制御ピンＰ＿Ｃ１に接続される。トランジスタ型リレーユニット２２１＿１〜２２１＿ｍの複数の制御端子Ｔ４は、共同で、ピンＰ４に接続される。したがって、トランジスタ型リレーユニット２２１＿１〜２２１＿ｍの複数の制御端子Ｔ４は、共同で、制御ピンＰ＿Ｃ２に接続される。
【００３２】
本実施形態において、トランジスタ型リレーユニット２２１＿１〜２２１＿ｍは、トランジスタ型リレーユニット２２１＿１〜２２１＿ｍの第１データ端子Ｔ１および第２データ端子Ｔ２を介して直列接続される。また、本実施形態の配置方法に基づいて、トランジスタ型リレーユニット２２１＿１〜２２１＿ｍをさらに制御して、同期オンまたは同期オフの切換え操作を行う。したがって、トランジスタ型リレーユニットグループ３２０は、高電圧（例えば、２０ｋＶに達する）運用に適用することができる。
【００３３】
本実施形態において、トランジスタ型リレーユニット２２１＿１〜２２１＿ｍは、それぞれ図３のトランジスタ型リレーユニット２２１により実施することができる。
【００３４】
図１および図６を同時に参照すると、図６は、本考案の１つの実施形態に係るトランジスタ型リレーユニットグループの第２概略図である。トランジスタ型リレーユニットグループ４２０は、図１のトランジスタ型リレーユニットグループ１２０に適用することができる。本実施形態において、トランジスタ型リレーユニットグループ４２０は、トランジスタ型リレーユニット２２１＿１〜２２１＿ｎを含む。本実施形態は、トランジスタ型リレーユニット２２１＿１〜２２１＿ｎを並列接続することによって、トランジスタ型リレーユニットグループ４２０を形成する。
【００３５】
本実施形態を例に挙げると、トランジスタ型リレーユニット２２１＿１〜２２１＿ｎの複数の第１データ端子Ｔ１は、共同で、ピンＰ１に接続される。したがって、トランジスタ型リレーユニット２２１＿１〜２２１＿ｎの複数の第１データ端子Ｔ１は、共同で、第１データピンＰ＿Ｄ１に接続される。トランジスタ型リレーユニット２２１＿１〜２２１＿ｎの複数の第２データ端子Ｔ２は、共同で、ピンＰ２に接続される。したがって、トランジスタ型リレーユニット２２１＿１〜２２１＿ｎの複数の第２データ端子Ｔ２は、共同で、第１データピンＰ＿Ｄ２に接続される。トランジスタ型リレーユニット２２１＿１〜２２１＿ｎの複数の制御端子Ｔ３は、共同で、ピンＰ３に接続される。したがって、トランジスタ型リレーユニット２２１＿１〜２２１＿ｎの複数の制御端子Ｔ３は、共同で、制御ピンＰ＿Ｃ１に接続される。トランジスタ型リレーユニット２２１＿１〜２２１＿ｎの複数の制御端子Ｔ４は、共同で、ピンＰ４に接続される。したがって、トランジスタ型リレーユニット２２１＿１〜２２１＿ｎの複数の制御端子Ｔ４は、共同で、制御ピンＰ＿Ｃ２に接続される。
【００３６】
本実施形態において、トランジスタ型リレーユニット２２１＿１〜２２１＿ｎは、並列接続を採用する。また、本実施形態の配置方法に基づいて、トランジスタ型リレーユニット２２１＿１〜２２１＿ｎをさらに制御して、同期オンまたは同期オフの切換え操作を行う。したがって、トランジスタ型リレーユニットグループ４２０は、高電流運用に適用することができる。
【００３７】
図７を参照すると、図７は、本考案の１つの実施形態に係るトランジスタ型リレーユニットグループの第３概略図である。本実施形態において、図５のトランジスタ型リレーユニットグループ３２０と比較すると、トランジスタ型リレーユニットグループ３２０´のトランジスタ型リレーユニット２２１＿１〜２２１＿ｍの複数の制御端子Ｔ３、Ｔ４は、それぞれピンＰ３とピンＰ４の間に直列接続される。具体的に説明すると、トランジスタ型リレーユニット２２１＿１の制御端子Ｔ３は、ピンＰ３に接続される。トランジスタ型リレーユニット２２１＿１の制御端子Ｔ４は、トランジスタ型リレーユニット２２１＿２の制御端子Ｔ３に接続される。トランジスタ型リレーユニット２２１＿２の制御端子Ｔ４は、トランジスタ型リレーユニット２２１＿３の制御端子Ｔ３に接続され、以下、同様に接続される。トランジスタ型リレーユニット２２１＿ｍの制御端子Ｔ４は、ピンＰ４に接続される。
【００３８】
図８を参照すると、図８は、本考案の１つの実施形態に係るトランジスタ型リレーユニットグループの第４概略図である。本実施形態において、図６のトランジスタ型リレーユニットグループ４２０と比較すると、トランジスタ型リレーユニットグループ４２０´のトランジスタ型リレーユニット２２１＿１〜２２１＿ｎの複数の制御端子Ｔ３、Ｔ４は、それぞれピンＰ３とピンＰ４の間に直列接続される。
【００３９】
図９を参照すると、図９は、本考案の１つの実施形態に係るトランジスタ型リレーユニットグループの第５概略図である。本実施形態において、トランジスタ型リレーユニットグループ５２０は、トランジスタ型リレーユニット２２１＿１〜２２１＿４を含む。トランジスタ型リレーユニット２２１＿１〜２２１＿２は、第１直列グループにグループ化される。トランジスタ型リレーユニット２２１＿３〜２２１＿４は、第２直列グループにグループ化される。この他、第１直列グループと第２直列グループは、互いに並列接続される。したがって、本実施形態は、高電圧および高電流運用に適用することができる。
【００４０】
例を挙げて説明すると、トランジスタ型リレーユニット２２１＿１の第１データ端子Ｔ１は、ピンＰ１に接続される。トランジスタ型リレーユニット２２１＿１の第２データ端子Ｔ２は、トランジスタ型リレーユニット２２１＿２の第１データ端子Ｔ１に接続される。トランジスタ型リレーユニット２２１＿１の制御端子Ｔ３は、ピンＰ３に接続される。トランジスタ型リレーユニット２２１＿１の制御端子Ｔ４は、トランジスタ型リレーユニット２２１＿２の制御端子Ｔ３に接続される。トランジスタ型リレーユニット２２１＿２の第２データ端子Ｔ２は、ピンＰ２に接続される。トランジスタ型リレーユニット２２１＿２の制御端子Ｔ４は、ピンＰ４に接続される。したがって、トランジスタ型リレーユニット２２１＿１、２２１＿２は、直列接続されることにより、第１直列グループを形成する。トランジスタ型リレーユニット２２１＿３の第１データ端子Ｔ１は、ピンＰ１に接続される。トランジスタ型リレーユニット２２１＿３の第２データ端子Ｔ２は、トランジスタ型リレーユニット２２１＿４の第１データ端子Ｔ１に接続される。トランジスタ型リレーユニット２２１＿３の制御端子Ｔ３は、ピンＰ３に接続される。トランジスタ型リレーユニット２２１＿３の制御端子Ｔ４は、トランジスタ型リレーユニット２２１＿４の制御端子Ｔ３に接続される。トランジスタ型リレーユニット２２１＿４の第２データ端子Ｔ２は、ピンＰ２に接続される。トランジスタ型リレーユニット２２１＿４の制御端子Ｔ４は、ピンＰ４に接続される。したがって、トランジスタ型リレーユニット２２１＿３、２２１＿４は、直列接続されることにより、第２直列グループを形成し、且つ第１直列グループに並列接続される。設計上の要求に応じて、本考案の直列グループは、複数であってもよいが、本考案は、本実施形態に限定されない。
【００４１】
いくつかの実施形態において、トランジスタ型リレーユニット２２１＿１〜２２１＿４の制御端子Ｔ３、Ｔ４は、図５、図６に示した制御端子Ｔ３、Ｔ４の接続方法のように、全て並列接続を採用してもよい。いくつかの実施形態において、トランジスタ型リレーユニット２２１＿１〜２２１＿４の制御端子Ｔ３、Ｔ４は、図７、図８に示した制御端子Ｔ３、Ｔ４の接続方法のように、全て直列接続を採用してもよい。
【００４２】
上述した実施形態に基づき、本考案は、複数のトランジスタ型リレーユニットの異なる配置により、リレー装置１００を高電圧運用または高電流運用に符合させることができる。
【００４３】
図１０を参照すると、図１０は、本考案の第３実施形態に係るリレー装置の概略図である。本実施形態において、リレー装置６００は、筐体６１０と、制御ピンＰ＿Ｃ１、Ｐ＿Ｃ２と、第１データピンＰ＿Ｄ１と、第２データピンＰ＿Ｄ２と、トランジスタ型リレーユニットグループ６２０とを含む。図１と異なるのは、筐体６１０の規格が別のハイパワー水銀リレーの筐体規格に符合することである。制御ピンＰ＿Ｃ１、Ｐ＿Ｃ２、第１データピンＰ＿Ｄ１、および第２データピンＰ＿Ｄ２は、筐体６１０の同一側辺Ｅ３に設置される。トランジスタ型リレーユニットグループ６２０の実施態様および制御ピンＰ＿Ｃ１、Ｐ＿Ｃ２、第１データピンＰ＿Ｄ１、および第２データピンＰ＿Ｄ２のバッティングする方法は、図１〜図５の実施形態から十分な教示を得ることができるため、ここでは繰り返し説明しない。
【００４４】
以上のように、リレー装置の筐体の規格は、ハイパワー水銀リレーのうちの１つの筐体規格に符合する。また、トランジスタ型リレーユニットグループは、炭化ケイ素基板により実現される。トランジスタ型リレーユニットグループは、制御ピン、第１データピン、および第２データピンに接続される。トランジスタ型リレーユニットグループは、スイッチ操作を実行する。このようにして、本考案は、現行のハイパワー水銀リレーの規格に基づいて、環境保全の要求に符合するハイパワーリレー装置を提供することができる。また、トランジスタ型リレーユニットグループは、複数のトランジスタ型リレーユニットを含む。本考案は、複数のトランジスタ型リレーユニットの異なる配置により、リレー装置を高電圧運用または高電流運用に符合させることができる。
【００４５】
以上のように、本考案を実施形態により開示したが、本考案を限定するために用いるものではなく、当業者であれば、本考案の精神および範囲から逸脱しなければ、いくつかの変更ならびに修正が可能であるため、本考案の保護範囲は、添付の特許請求の範囲を基準として定めなければならない。
【符号の説明】
【００４６】
１００、６００  リレー装置
１１０、６１０  筐体
１２０、２２０、３２０、３２０´、４２０、４２０´、５２０、６２０  トランジスタ型リレーユニットグループ
２２１、２２１＿１、２２１＿２、２２１＿３、２２１＿４、２２１＿ｍ、２２１＿ｎ、２２１ａ、２２１ｂ、２２１ｃ、２２１ｄ  トランジスタ型リレーユニット
Ｄ、Ｄ´ 発光ダイオード
Ｅ１、Ｅ２、Ｅ３  側辺
Ｍ１、Ｍ１´、Ｍ２、Ｍ２´ トランジスタ
Ｐ１〜Ｐ４  ピン
Ｐ＿Ｃ１、Ｐ＿Ｃ２  制御ピン
Ｐ＿Ｄ１  第１データピン
Ｐ＿Ｄ２  第２データピン
ＳＣ１、ＳＣ２  制御信号
Ｓ＿ＩＮ  入力信号
Ｓ＿ＯＵＴ  入力信号
Ｔ１、Ｔ１´ 第１データ端子
Ｔ２、Ｔ２´ 第２データ端子
Ｔ３、Ｔ３´、Ｔ４、Ｔ４´ 制御端子
Ｔ５、Ｔ６  予備端子
Ｔ７  第３データ端子
【図１】
0003234927.tif 000003
【図２】
0003234927.tif 000004
【図３】
0003234927.tif 000005
【図４Ａ】
0003234927.tif 000006
【図４Ｂ】
0003234927.tif 000007
【図４Ｃ】
0003234927.tif 000008
【図４Ｄ】
0003234927.tif 000009
【図５】
0003234927.tif 000010
【図６】
0003234927.tif 000011
【図７】
0003234927.tif 000012
【図８】
0003234927.tif 000013
【図９】
0003234927.tif 000014
【図１０】
0003234927.tif 000015